【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
導電性の基体、および、該基体上の導電層、を有する電子写真用部材であって、
該導電層が、カチオン性有機基を分子内に有する樹脂と、アニオンと、を含み、
該導電層に含まれるアルカリ金属及びアルカリ土類金属の含有量の総和が５００ｐｐｍ以下であり、
該アニオンが、フッ化スルホン酸アニオン、フッ化カルボン酸アニオン、フッ化スルホニルイミドアニオン、フッ化スルホニルメチドアニオン、フッ化アルキルフルオロホウ酸アニオン、フッ化リン酸アニオン、フッ化アンチモン酸アニオン、及びフッ化ヒ酸アニオンの群から選ばれる少なくとも一つであることを特徴とする電子写真用部材。
【請求項２】
前記樹脂が、分岐構造を有するポリマー鎖を含み、該ポリマー鎖の分岐部に前記カチオン性有機基が存在している請求項１に記載の電子写真用部材。
【請求項３】
導電性の基体、および、該基体上の導電層、を有する電子写真用部材であって、
該導電層が、下記の樹脂（ａ）または樹脂（ｂ）を含み、
該導電層に含まれるアルカリ金属及びアルカリ土類金属の含有量の総和が５００ｐｐｍ以下であることを特徴とする電子写真用部材：
樹脂（ａ）：
イオン導電剤と、水酸基と反応可能な第１の化合物との反応物であって、
該イオン導電剤が、アニオンと、水酸基を２個以上有するカチオンとを含み、
該アニオンが、フッ化スルホン酸アニオン、フッ化カルボン酸アニオン、フッ化スルホニルイミドアニオン、フッ化スルホニルメチドアニオン、フッ化アルキルフルオロホウ酸アニオン、フッ化リン酸アニオン、フッ化アンチモン酸アニオン、及びフッ化ヒ酸アニオンの群から選ばれる少なくとも一つである樹脂；
樹脂（ｂ）：
三級アミンの窒素原子を分子内に３個以上有する第２の化合物と、
−Ｎ（ＳＯ2Ｒ1）2 および −ＯＳＯ2Ｒ2で表される基の少なくとも一方を分子内に２個以上有する第３の化合物との反応物（但し、Ｒ１及びＲ２は、それぞれ独立して、Ｆまたは炭素数１〜５のパーフルオロアルキル基である。）。
【請求項４】
前記イオン導電剤が、前記アニオンと、水酸基を３個以上有するカチオンとを含む請求項３に記載の電子写真用部材。
【請求項５】
前記第３の化合物が、下記化学式（１）〜（４）で示される化合物から選択される少なくとも１つである請求項３に記載の電子写真用部材：
【化１】
2016126332.tif 000001
［化学式（１）〜（４）中、Ａ１〜Ａ６は、それぞれ独立して、−Ｎ（ＳＯ2Ｒ1）2又は−ＯＳＯ2Ｒ2を示す。ＲａおよびＲｂは、それぞれ独立して、Ｈまたは置換基を有していても良いアルキル基である。ｍ１は、１〜３０の整数であり、ｍ２〜ｍ５は、それぞれ独立して１〜１５の整数であり、Ｘは、２または３であり、Ｒｃは、置換基を有していても良いアルキル基であり、Ｙは、２〜１０の整数である。］。
【請求項６】
前記第３の化合物が、前記化学式（１）で示される化合物である請求項５に記載の電子写真用部材。
【請求項７】
前記イオン導電剤が、下記（１）または（２）である請求項４に記載の電子写真用部材：
（１）カチオンの水酸化物、メチル炭酸塩、エチル炭酸塩、プロピル炭酸塩、及び炭酸水素塩の群から選ばれる一つと、アニオンの共役酸との反応物である；
（２）フッ化スルホン酸エステル、フッ化カルボン酸エステル、及びＮ−アルキルビス（フッ化スルホニル）イミドの群から選ばれる一つと、三級アミン化合物との反応物である。
【請求項８】
電子写真装置の本体に着脱可能に構成されている電子写真用部材を備えたプロセスカートリッジであって、該電子写真用部材の少なくとも１つが、請求項１〜７のいずれか一項に記載の電子写真用部材であることを特徴とするプロセスカートリッジ。
【請求項９】
電子写真用部材を備えた電子写真装置であって、該電子写真用部材の少なくとも１つが、請求項１〜７のいずれか一項に記載の電子写真用部材であることを特徴とする電子写真装置。
【請求項１０】
請求項１〜７のいずれか一項に記載の電子写真用部材の製造方法であって、
（１）導電性の基体上に、水酸基を２個以上有するカチオンと、水酸基と反応可能な化合物とを含む塗料の塗膜を形成する工程と、
（２）該塗膜中の、該水酸基を２個以上有するカチオンと、該水酸基と反応可能な化合物とを反応させることによって導電層を形成する工程と、
を有することを特徴とする電子写真用部材の製造方法。
【請求項１１】
前記工程（１）に先立って、
前記水酸基を２個以上有するカチオンと、アニオンとを有するイオン導電剤を調製する工程を有し、
該イオン導電剤を調製する工程が、水酸基を２個以上有するカチオンと水酸化物アニオンとを有する化合物と、アニオンとプロトンとを有する化合物と、を反応させる工程
を含む請求項１０に記載の電子写真用部材の製造方法。
【請求項１２】
前記イオン導電剤を調製する工程が、水酸基を３個以上有するカチオンと水酸化物アニオンとを有する化合物と、アニオンとプロトンとを有する化合物と、を反応させる工程を含む請求項１１に記載の電子写真用部材の製造方法。
【請求項１３】
前記水酸基を２個以上有するカチオンと水酸化物アニオンとを有する化合物が、トリス（ヒドロキシアルキル）アルキルアンモニウムヒドロキシド、およびビス（ヒドロキシアルキル）ジアルキルアンモニウムヒドロキシド、から選択される少なくとも１つであり、
前記アニオンとプロトンとを有する化合物が、ビス（トリフルオロメタンスルホニル）アミド、ビス（ノナフルオロブタンスルホニル）アミド、４，４，５，５，６，６−ヘキサフルオロジヒドロ−４Ｈ−１，３，２−ジチアジン１，１，３，３−テトラオキシド、トリフルオロメタンスルホン酸、ノナフルオロブタンスルホン酸、トリフルオロ酢酸、ヘプタフルオロ酪酸、トリス（トリフルオロメタンスルホニル）メチド、および、トリフルオロメチルトリフルオロホウ酸の群から選択される少なくとも１つである請求項１２に記載の電子写真用部材の製造方法。
【請求項１４】
前記イオン導電剤を調製する工程が、三級アミン化合物と、前記アニオンのイミド化物と、を反応させる工程を含む請求項１１に記載の電子写真用部材の製造方法。
【請求項１５】
前記三級アミン化合物が、Ｎ−メチルジエタノールアミン、トリエタノールアミン、２−ピリジンエタノール、１−ヒドロキシエチル−２−ヒドロキシメチルイミダゾール、Ｎ−ヒドロキシエチルピロリドン、および、Ｎ−ヒドロキシエチルピペリジンから選択される少なくとも１つであり、
前記アニオンのイミド化物が、Ｎ−メチルビス（トリフルオロメチルスルホニル）イミド、および、Ｎ−ヒドロキシエチルビス（トリフルオロメチルスルホニル）イミドから選択される少なくとも１つである請求項１４に記載の電子写真用部材の製造方法。
【請求項１６】
前記イオン導電剤を調製する工程が、水酸基を２個以上有するカチオンのアルキル炭酸塩または炭酸水素塩と、アニオンとプロトンとを有する化合物と、を反応させる工程を含む請求項１１に記載の電子写真用部材の製造方法。
【請求項１７】
請求項１〜７のいずれか一項に記載の電子写真用部材の製造方法であって、
（１）導電性の基体上に、三級アミンの窒素原子を３個以上有する化合物と、−Ｎ（ＳＯ2Ｒ1）2 および −ＯＳＯ2Ｒ2で表される基の少なくとも一方を分子内に２個以上有する化合物（但し、Ｒ１及びＲ２は、それぞれ独立して、Ｆまたは炭素数１〜５のパーフルオロアルキル基である。）と、を含む塗料の塗膜を形成する工程、および、
（２）該塗膜中の、該三級アミンの窒素原子を３個以上有する化合物と、−Ｎ（ＳＯ2Ｒ1）2 および −ＯＳＯ2Ｒ2で表される基の少なくとも一方を分子内に２個以上有する化合物と、を反応させることによって、導電層を形成する工程、
を有することを特徴とする電子写真用部材の製造方法。
【請求項１８】
前記三級アミンの窒素原子を３個以上有する化合物が、ポリ（１−ビニルイミダゾール）、ポリ（４−ビニルピリジン） およびポリ（ジメチルアミノエチルメタクリレート）の群から選択される少なくとも１つであり、
前記−Ｎ（ＳＯ2Ｒ1）2 および −ＯＳＯ2Ｒ2で表される基の少なくとも一方を分子内に２個以上有する化合物（但し、Ｒ１及びＲ２は、それぞれ独立して、Ｆまたは炭素数１〜５のパーフルオロアルキル基である。）が、下記化学式（１）〜（４）で示される化合物の群から選択される少なくとも１つである請求項１７に記載の電子写真用部材の製造方法：
【化２】
2016126332.tif 000002
［化学式（１）〜（４）中、Ａ１〜Ａ６は、それぞれ独立して、−Ｎ（ＳＯ2Ｒ1）2又は−ＯＳＯ2Ｒ2を示す。ＲａおよびＲｂは、それぞれ独立して、Ｈまたは置換基を有していても良いアルキル基である。ｍ１は、１〜３０の整数であり、ｍ２〜ｍ５は、それぞれ独立して１〜１５の整数であり、Ｘは、２または３であり、Ｒｃは、置換基を有していても良いアルキル基であり、Ｙは、２〜１０の整数である。］。
【手続補正２】
【補正対象書類名】明細書
【補正対象項目名】００７５
【補正方法】変更
【補正の内容】
【００７５】
化学式（１）〜（４）中、Ａ１〜Ａ６は、それぞれ独立して、−Ｎ（ＳＯ2Ｒ1）2又は−ＯＳＯ2Ｒ2を示す。ＲａおよびＲｂは、それぞれ独立して、Ｈまたは置換基を有していても良いアルキル基である。ｍ１は、１〜３０の整数であり、ｍ２〜ｍ５は、それぞれ独立して１〜１５の整数であり、Ｘは、２または３であり、Ｒｃは、置換基を有していても良いアルキル基である。Ｙは、２〜１０の整数である。Ｒ1及びＲ2は、それぞれ独立して、Ｆまたは炭素数１〜５のパーフルオロアルキル基である。
【手続補正３】
【補正対象書類名】明細書
【補正対象項目名】０１０４
【補正方法】変更
【補正の内容】
【０１０４】
また、上記アニオンのイミド化物としては、例えば、Ｎ−メチルビス（トリフルオロメチルスルホニル）イミド、および、Ｎ−ヒドロキシエチルビス（トリフルオロメチルスルホニル）イミドから選択される少なくとも１つが挙げられる。
【手続補正４】
【補正対象書類名】明細書
【補正対象項目名】０１０９
【補正方法】変更
【補正の内容】
【０１０９】
化学式（１）〜（４）中、Ａ１〜Ａ６は、それぞれ独立して、−Ｎ（ＳＯ2Ｒ1）2又は−ＯＳＯ2Ｒ2を示す。ＲａおよびＲｂは、それぞれ独立して、Ｈまたは置換基を有していても良いアルキル基である。ｍ１は、１〜３０の整数であり、ｍ２〜ｍ５は、それぞれ独立して１〜１５の整数であり、Ｘは、２または３であり、Ｒｃは、置換基を有していても良いアルキル基である。Ｙは、２〜１０の整数である。